(57)【要約】【課題】  更なる利便性の向上を図ることができる建物用状態監視装置を提供する。【解決手段】  モニタ装置３は、センサ装置２の登録が可能な登録モードと、登録されたセンサ装置２からの入力信号に基づいて監視対象の状態を報知する監視モードと、該監視対象の状態が変化した際に警報を発する警戒モードとに切り換わるモニタ側マイコン３３を備えている。登録モードにおいてモニタ側マイコン３３は、第１〜第３暗証入力スイッチ３８ａ〜３８ｃの何れかが長時間に亘って操作されると、対象となるセンサ装置２を該操作に対応したグループに分類する。そして、モニタ側マイコン３３は、グループが選択された状態でモードの切り換え操作が行われると、該グループに属するセンサ装置２のみを対象としてモードを切り換える。【選択図】      図１
2006169891.tif 000002
【特許請求の範囲】
【請求項１】
それぞれ対応する監視対象の状態を検出する複数のセンサ装置を登録可能な登録モード、登録されたセンサ装置からの入力信号に基づいて対応する監視対象の状態を報知する監視モード、及び該監視対象の状態が変化した際に警報を発する警戒モードに択一的に切り換わる監視制御手段を備える建物用状態監視装置であって、
前記監視制御手段は、登録される各センサ装置をグループ化し、そのグループ毎に前記登録モード、前記監視モード及び前記警戒モードに選択的に切り換えるグループモード切換制御を行うことを特徴とする建物用状態監視装置。
【請求項２】
前記監視制御手段は、前記センサ装置が新規に登録されるとき、及び既に登録されたセンサ装置が選択されたとき、の少なくとも一方で、前記グループ化が可能であることを特徴とする請求項１に記載の建物用状態監視装置。
【請求項３】
前記監視制御手段は、他の機能に用いられる既存の操作部が、該他の機能に用いられる際における操作態様とは異なる態様で操作されたことを条件として前記各センサ装置のグループ化を行うことを特徴とする請求項１または請求項２に記載の建物用状態監視装置。
【請求項４】
前記監視制御手段は、前記登録モードにおいて前記グループ化されたセンサ装置が選択された状態で特殊設定操作手段が操作された際に、該グループに属する全てのセンサ装置を、前記警戒モードにおいて前記監視対象の状態が変化した際に即座に警報を発する通常監視態様とは異なる態様で監視する特殊監視対象として登録する特殊登録処理を行うことを特徴とする請求項１〜３のいずれか１項に記載の建物用状態監視装置。
【請求項５】
前記各センサ装置の状態を個別に表示する複数の状態表示手段を備えることを特徴とする請求項１〜４のいずれか１項に記載の建物用状態監視装置。
【発明の詳細な説明】
【技術分野】
【０００１】
本発明は、例えば建物のドアや窓などの施解錠状態を監視する建物用状態監視装置に関するものである。
【背景技術】
【０００２】
従来、住宅等の建物のセキュリティレベルの向上を目的として、住宅等の窓の施解錠状態を監視する建物用状態監視システム（施解錠状態監視装置）が開示されている（例えば特許文献１参照）。
【０００３】
この建物用状態監視システムは、センサ装置（子機）とモニタ装置（親機）とを備えている。センサ装置は、窓の施解錠状態を検出し、該センサ装置毎に個別に設定されたＩＤコードと、自身が監視する窓の施解錠状態を示す状態コード（施錠状態コード又は解錠状態コード）とを含むＩＤコード信号を外部に送信する。
【０００４】
一方、モニタ装置は、センサ装置から送信されてくるＩＤコード信号を受信したとき、そのＩＤコード信号に含まれているＩＤコードからセンサ装置を特定する。そして、モニタ装置は、同じくＩＤコード信号に含まれている状態コードから、該特定したセンサ装置により監視されている窓の施解錠状態を認識する。そして、モニタ装置は、該窓が施錠状態にあるのか或いは解錠状態にあるのかを視覚的に報知する。その結果、モニタシステムが設置された住宅の家人は、モニタ装置による報知内容を一瞥するだけで窓の施解錠状態を的確に把握することができる。
【０００５】
また、モニタ装置には、在宅モードや警戒モードが存在する。在宅モードは、家人の在宅中に設定されることを前提としたモードである。このため、在宅モードでは、窓の施解錠状態を視覚的に報知することが主として行われ、窓が解錠されたときにはブザーがごく短時間だけ鳴動される。一方、警戒モードは、家人の外出して家を留守にする際や就寝時などに設定されることを前提としたモードである。このため、警戒モードでは、窓が解錠されたときにはブザーが長時間に亘って鳴動される。
【特許文献１】特開２００２−１１５４２９号公報
【発明の開示】
【発明が解決しようとする課題】
【０００６】
しかしながら、こうした従来の建物用状態監視システムでは、家人の在宅中に警戒モードに設定されると、該警戒モードを解除せずに家人が不用意に窓などの解錠操作を行ってしまった際にも、モニタ装置から警報が発せられてしまう。こうした動作は建物用状態監視システムの動作としては正常ではあるが、家人にとっては利便性が悪いと感じてしまうおそれがある。例えば、夏場の就寝時など窓の開閉が頻繁に行われる可能性がある状況下にあっては、就寝時にモニタ装置を警戒モードに設定した場合、その後、家人が空調のために窓の開け閉めを行うためには、一旦警戒モードを解除しなければならない。このように、家人の在宅中において防犯のために警戒モードに設定した場合、その後に窓等の開け閉めを家人が行うためには一旦警戒モードを解除しなければならない。よって、こうした操作を家人は煩雑だと感じてしまうおそれがある。
【０００７】
本発明はこうした実情に鑑みてなされたものであり、その目的は、更なる利便性の向上を図ることができる建物用状態監視装置を提供することにある。
【課題を解決するための手段】
【０００８】
上記の課題を解決するために、請求項１に記載の発明では、それぞれ対応する監視対象の状態を検出する複数のセンサ装置を登録可能な登録モード、登録されたセンサ装置からの入力信号に基づいて対応する監視対象の状態を報知する監視モード、及び該監視対象の状態が変化した際に警報を発する警戒モードに択一的に切り換わる監視制御手段を備える建物用状態監視装置であって、前記監視制御手段は、登録される各センサ装置をグループ化し、そのグループ毎に前記登録モード、前記監視モード及び前記警戒モードに選択的に切り換えるグループモード切換制御を行うことを要旨とする。
【０００９】
請求項２に記載の発明では、請求項１に記載の建物用状態監視装置において、前記監視制御手段は、前記センサ装置の新規登録時、及び既に登録されたセンサ装置の選択時の少なくとも一方で、前記グループ化が可能であることを要旨とする。
【００１０】
請求項３に記載の発明では、請求項１または請求項２に記載の建物用状態監視装置において、前記監視制御手段は、他の機能に用いられる既存の操作部が、該他の機能に用いられる際における操作態様とは異なる態様で操作されたことを条件として前記各センサ装置のグループ化を行うことを要旨とする。
【００１１】
請求項４に記載の発明では、請求項１〜３のいずれか１項に記載の建物用状態監視装置において、前記監視制御手段は、前記登録モードにおいて前記グループ化されたセンサ装置が選択された状態で特殊設定操作手段が操作された際に、該グループに属する全てのセンサ装置を、前記警戒モードにおいて前記監視対象の状態が変化した際に即座に警報を発する通常監視態様とは異なる態様で監視する特殊監視対象として登録する特殊登録処理を行うことを要旨とする。
【００１２】
請求項５に記載の発明では、請求項１〜４のいずれか１項に記載の建物用状態監視装置において、前記各センサ装置の状態を個別に表示する複数の状態表示手段を備えることを要旨とする。
【００１３】
以下、本発明の「作用」について説明する。
請求項１に記載の発明によると、モニタ装置に登録される各センサ装置は、監視制御手段によるグループ化処理によってグループ化することが可能となっている。そして、該グループ化が行われると、そのグループ毎に、登録モード、監視モード及び警戒モードに選択的に切り換え可能となる。このため、ユーザの必要に応じて各グループ毎に個別のモード設定を行うことが可能となり、利便性が向上する。例えば、建物用状態監視装置を２階建て住宅に適用して窓やドアの施解錠状態を監視対象とした場合、１階の窓やドアの施解錠状態を検出する各センサ装置と２階の窓の施解錠を検出する各センサ装置とを異なるグループに設定すれば、それらグループを互いに異なるモードに設定可能となる。具体的には、１階の各センサ装置のみを警戒モードに設定し、２階の各センサ装置を監視モードに設定することが可能となる。このようにすれば、１階のセンサ装置を警戒モードに設定した状態で２階の窓を解錠しても、警報は発せられない。それゆえ、１階の防犯性を保ちつつ、２階の窓を自由に施解錠及び開閉することができ、利便性が向上する。
【００１４】
請求項２に記載の発明によると、センサ装置の新規登録時にグループ化を可能とした場合には、該センサ装置の新規登録を行うための一連の操作の中で、グループ化をも併せて行うことができる。また、既に登録されているセンサ装置に対するグループ化を可能とした場合には、登録後におけるセンサ装置のグループ化を自由に行うことができる。よって、グループ化を行うにあたっての利便性をより向上させることができる。
【００１５】
請求項３に記載の発明によると、グループ化を行うための操作部を新たに設ける必要がないため、部品点数の増加が抑制される。
請求項４に記載の発明によると、監視制御手段は、センサ装置の登録時に特殊設定操作手段が操作されない場合には、センサ装置を、通常の態様で監視する通常監視対象として登録する（通常登録）。これに対し、監視制御手段は、センサ装置の登録時に該特殊設定操作手段が操作された場合には、センサ装置を、通常登録状態での監視態様とは異なる態様で監視する特殊監視対象として登録する（特殊登録）。このため、監視制御手段は、通常登録を行ったセンサ装置と特殊登録を行ったセンサ装置とを認識可能となる。よって、例えば、警戒モードにおいて監視制御手段は、通常登録されたセンサ装置から監視対象の状態が変化した旨の入力信号が入力された際には、即座にその旨の警報を発することができる。これに対し、例えば、警戒モードにおいて監視制御手段は、特殊登録されたセンサ装置から監視対象の状態が変化した旨の入力信号が入力された際には、所定時間が経過した後にその旨の警報を発することができる。すなわち、監視制御手段は、一種類のセンサ装置を異なる態様で制御することが可能となる。それゆえ、こうした態様例を採用した場合においては、通常登録されたセンサ装置を窓用センサ装置として用い、特殊登録されたセンサ装置をドア用センサ装置として用いることができ、両センサ装置を共通化することができる。よって、セキュリティレベルの低下を抑止しつつ、利便性をより一層向上させることができる。しかも、こうした特殊登録は選択されたグループの全てが対象となるため、一つひとつのセンサ装置を特殊登録する必要がなく、該特殊登録のための作業が容易となる。
【００１６】
請求項５に記載の発明によると、ユーザは、表示手段を視認することにより、各センサ装置の状態を容易且つ確実に認識することができる。
【発明の効果】
【００１７】
以上詳述したように、本発明によれば、利便性を向上させることができる建物用状態監視装置を提供することができる。
【発明を実施するための最良の形態】
【００１８】
以下、本発明を住宅に用いられる状態監視システムに具体化した一実施形態を説明する。
図１に示すように、状態監視システム１は、センサ装置２とモニタ装置３とを備えている。センサ装置２は、監視対象の状態を検出するためのものであり、監視対象としては例えば窓やドア等の施錠装置などが挙げられる。モニタ装置３は、センサ装置２により検出された監視対象の状態を報知するためのものであり、例えばリビング等に配設される。本実施形態において状態監視システム１は、センサ装置２（送信側）からモニタ装置３（受信側）への単方向無線通信が可能となっている。なお、本実施形態の状態監視システム１においては、センサ装置２として１１個のセンサ装置２Ａ〜２Ｋを用いた例を示す。詳しくは、センサ装置２Ａ〜２Ｇは、住宅１階の窓Ａ〜Ｅ（監視対象）、勝手口Ｆ（監視対象）及び玄関ドアＧ（監視対象）にそれぞれ対応して設けられ、それら窓Ａ〜Ｅ、勝手口Ｆ及び玄関ドアＧの施解錠状態をそれぞれ検出するためのものとして設定されている。また、センサ装置２Ｈ〜２Ｋは、住宅２階の窓Ｈ〜Ｋ（監視対象）にそれぞれ対応して設けられ、それら窓Ｈ〜Ｋの施解錠状態をそれぞれ検出するためのものとして設定されている。これらセンサ装置２Ａ〜２Ｋは、全て同じ構成となっている。そこで、以下の説明においてはセンサ装置２Ａ〜２Ｋの各々の構成を、センサ装置２として説明する。
【００１９】
＜センサ装置２の構成＞
センサ装置２は、無線送信機能を有し、検出部（本実施形態ではリードスイッチ）２１、センサ側マイクロコンピュータ（センサ側マイコン）２２、送信回路２３、送信アンテナ２４を備えている。検出部２１は、監視対象の施解錠状態を検出するためのものであり、監視対象が施錠状態（ロック状態）にあるときにＯＮ状態となり、該ＯＮ状態である旨を示す検出信号をセンサ側マイコン２２に出力する。一方、検出部２１は、監視対象が解錠状態（アンロック状態）にあるときにＯＦＦ状態となり、該ＯＦＦ状態である旨を示す検出信号をセンサ側マイコン２２に出力する。
【００２０】
ちなみに、検出部２１は、監視対象（窓Ａ〜Ｄ及び玄関ドアＥのいずれか）を施解錠するために操作される操作部（例えばクレセント錠における操作つまみ）に内蔵された磁石を検出可能な磁気センサである。そして、監視対象を施錠するべく操作部が操作されると該操作部に内蔵された磁石が検出部２１に近接し、該検出部２１がＯＮ状態となる。一方、監視対象を解錠するべく該操作部が操作されると磁石が検出部２１から遠ざかり、該検出部２１がＯＦＦ状態となる。
【００２１】
センサ側マイコン２２は、図示しないＣＰＵ、ＲＯＭ、ＲＡＭ等からなるＣＰＵユニットであり、不揮発性のメモリ２２ａを備えている。メモリ２２ａには、センサ装置２Ａ〜２Ｅ毎に個別に設定されたＩＤコード（センサ装置２のＩＤコード）が記憶されている。ここで、センサ装置２Ａのメモリ２２ａには第１ＩＤコードが記録され、センサ装置２Ｂのメモリ２２ａには第２ＩＤコードが記録されている。同様に、各センサ装置２Ｃ〜２Ｋのメモリ２２ａには、第３〜第１１ＩＤコードが記録されている。
【００２２】
センサ側マイコン２２は、検出部２１から検出信号が入力されると、該検出信号に基づいて監視対象の施解錠状態を判断する。すなわち、センサ側マイコン２２は、ＯＮ状態を示す検出信号が入力されると対応する監視対象が施錠状態であると判断し、ＯＦＦ状態を示す検出信号が入力されると対応する監視対象が解錠状態であると判断する。そして、センサ側マイコン２２は、センサ装置２のＩＤコードと、該センサ装置２により検出された監視対象の施解錠状態を示す状態コードとを含むＩＤコード信号を送信回路２３に出力する。つまり、センサ側マイコン２２は、検出部２１から監視対象が施錠状態である旨を示す検出信号が入力されたときには、センサ装置２のＩＤコードと、監視対象が施錠状態である旨を示す施錠状態コードとを含むＩＤコード信号を送信回路２３に出力する。一方、センサ側マイコン２２は、検出部２１から監視対象が解錠状態である旨を示す検出信号が入力されたときには、センサ装置２のＩＤコードと、監視対象が解錠状態である旨を示す解錠状態コードとを含むＩＤコード信号を送信回路２３に出力する。
【００２３】
また、センサ側マイコン２２は、検出部２１のＯＮ状態・ＯＦＦ状態を短時間に所定回数繰り返し検出するとセンサ登録モードとなり、自身のＩＤコードと、該ＩＤコードが登録用のＩＤコードである旨をモニタ装置３側で特定するための指標となる指標コードとを含む登録用信号を、送信回路２３に出力する。なお、本実施形態においてセンサ側マイコン２２は、検出部２１のＯＮ状態・ＯＦＦ状態が１０秒の間に４回ずつ繰り返し検出した際にセンサ登録モードとなるように設定されている。すなわち、センサ側マイコン２２は、通常の施解錠操作では行われないような態様で各検出部２１と対応する監視対象の施解錠操作がなされた際に、センサ登録モードに移行するようになっている。
【００２４】
送信回路２３は、センサ側マイコン２２から入力されたＩＤコード信号や登録用信号を所定周波数（本実施形態では４２６ＭＨｚ）の電波に変調し、該電波を送信アンテナ２４を介して外部に送信する。ちなみに、センサ装置２Ａから送信されるＩＤコード信号及び登録用信号は、第１ＩＤコードを含む第１ＩＤコード信号及び第１登録用信号である。センサ装置２Ｂから送信されるＩＤコード信号及び登録用信号は、第２ＩＤコードを含む第２ＩＤコード信号及び第２登録用信号である。同様に、センサ装置２Ｃ〜２Ｋから送信されるＩＤコード信号及び登録用信号は、それぞれ対応する第３〜第１１ＩＤコードを含む第３〜第１１ＩＤコード信号及び第３〜第１１登録用信号となる。
【００２５】
＜モニタ装置３の構成＞
図２にも併せ示すように、モニタ装置３は、受信機能を有し、受信アンテナ３１、受信回路３２、監視制御手段としてのモニタ側マイクロコンピュータ（モニタ側マイコン）３３、状態表示手段としての表示部３４、ブザー３５、登録スイッチ３６、モード切換スイッチ３７及び特殊設定操作手段としての暗証入力スイッチ３８を備えている。受信アンテナ３１は受信回路３２に電気的に接続され、該受信回路３２、表示部３４、ブザー３５、登録スイッチ３６、モード切換スイッチ３７及び暗証入力スイッチ３８は、それぞれモニタ側マイコン３３に電気的に接続されている。
【００２６】
受信アンテナ３１は、センサ装置２から送信されてくるＩＤコード信号を受信するための媒体である。受信回路３２は、受信アンテナ３１によりＩＤコード信号が受信されると、そのＩＤコード信号を復調して受信信号を生成し、その受信信号をモニタ側マイコン３３に出力する。
【００２７】
モニタ側マイコン３３は、図示しないＣＰＵ、ＲＯＭ、ＲＡＭ等からなるＣＰＵユニットであり、不揮発性のメモリ３３ａを備えている。メモリ３３ａには、複数（例えば３０個）のセンサ装置２のＩＤコードをそれぞれ記録可能となっている。本実施形態においてメモリ３３ａには、各センサ装置２Ａ〜２Ｋの第１〜第１１ＩＤコードとそれぞれ一致するＩＤコードが、住宅側の第１ＩＤコード〜第１１ＩＤコードとして記録されている。また、メモリ３３ａには、暗証入力スイッチ３８から入力される暗証コード（本実施形態では４桁）を記録可能となっている。
【００２８】
特に、図２に示すように、メモリ３３ａには、住宅側の各ＩＤコードの各々が、後述する表示部３４のＬＥＤ３４ａ〜３４ｋの各々と関連付けされて記録されている。ちなみに、第１ＩＤコードはＬＥＤ３４ａと関連付けされ、第２ＩＤコードはＬＥＤ３４ｂと関連付けされている。同様に、第３〜第１１ＩＤコードは、ＬＥＤ３４ｃ〜３４ｋと関連付けされている。
【００２９】
モニタ側マイコン３３は、受信回路３２から受信信号が入力されると、センサ装置２のＩＤコードと、メモリ３３ａに記録された住宅側の各ＩＤコードのいずれかとが、一致しているか否かを判断する。つまり、この場合、モニタ側マイコン３３は、ＩＤコード照合を実行する。その結果、モニタ側マイコン３３は、両ＩＤコードが一致したと判断した際に、該一致したＩＤコード（第１ＩＤコード〜第１１ＩＤコードのいずれか）に関連付けされているＬＥＤ（ＬＥＤ３４ａ〜３４ｋのいずれか）に発光指令信号を出力する。また、モニタ側マイコン３３は、受信回路３２から入力された受信信号に住宅側の各ＩＤコードのいずれかと同一のＩＤコードが含まれており、且つ同受信信号に解錠状態コードが含まれていると判断した際に、ブザー３５に鳴動指令信号を出力する。
【００３０】
図２に示すように、表示部３４は、前記ＬＥＤ３４ａ〜３４ｋを含む複数（本実施形態では３０個）の発光ダイオードによって構成され、モニタ装置３の意匠面に設けられている。こうした表示部３４を構成する各ＬＥＤはモニタ側マイコン３３から発光指令信号が入力されると、該発光指令信号に基づく色・パターンで発光する。本実施形態において各ＬＥＤは、「緑色」、「赤色」及び「橙色」で発光可能となっている。また、表示部３４においてＬＥＤ３４ａ〜３４ｋの各々に対応する位置には、監視対象を示す表記が施されている。ちなみに、ＬＥＤ３４ａに対応する位置には、「１階窓Ａ」の表記が施されている（ＬＥＤ３４ａ→１階窓Ａ）。同様に、各ＬＥＤ３４ｂ〜３４ｋには、次の対応関係となるように表記されている。「ＬＥＤ３４ｂ→１階窓Ｂ」、「ＬＥＤ３４ｃ→１階窓Ｃ」、「ＬＥＤ３４ｄ→１階窓Ｄ」、「ＬＥＤ３４ｅ→１階窓Ｅ」、「ＬＥＤ３４ｆ→勝手口Ｆ」、「ＬＥＤ３４ｇ→玄関ドアＧ」、「ＬＥＤ３４ｈ→２階窓Ｈ」、「ＬＥＤ３４ｉ→２階窓Ｉ」、「ＬＥＤ３４ｊ→２階窓Ｊ」、「ＬＥＤ３４ｋ→２階窓Ｋ」。なお、本実施形態において表示部３４は全て同等のＬＥＤによって構成されていることから、表示部３４にかかる説明をＬＥＤ３４ａ〜３４ｋについてのみ行うこととする。
【００３１】
ブザー３５は、モニタ装置３の意匠面に設けられ、モニタ側マイコン３３から鳴動指令信号が入力されている間だけ鳴動する。
また、モニタ装置３の意匠面には、表示部３４及びブザー３５の他、それぞれ押しボタンスイッチによって構成された登録スイッチ３６、モード切換スイッチ３７及び暗証入力スイッチ３８が設けられている。
【００３２】
ところで、モニタ側マイコン３３は、大別して在宅モード、警戒モード、及び登録モードを有し、それらのうちの何れかのモードに切り換わるようになっている。通常、モニタ側マイコン３３は、ユーザ（家人）の在宅中など、住宅の警戒を必要としない場合に設定される在宅モードに設定され、登録スイッチ３６やモード切換スイッチ３７が所定条件下で操作された際に、登録モードや警戒モードに切り換わるようになっている。
【００３３】
詳しくは、登録モードは、センサ装置２のＩＤコードをメモリ３３ａに記録可能なモード、すなわちセンサ装置２をモニタ装置３に登録可能なモードである。そして、モニタ側マイコン３３は、在宅モードにおいて登録スイッチ３６が操作された際に、登録モードに切り換わる。
【００３４】
警戒モードは、家人の留守時や在宅時においても警戒を必要と感じた場合に設定されるモードである。そして、モニタ側マイコン３３は、在宅モードにおいてモード切換スイッチ３７が操作された際に、警戒モードに切り換わる。なお、本実施形態においてモニタ側マイコン３３は、主として家人の在宅時においても警戒を必要と感じた場合に設定される「在宅警戒モード」と、主として家人の留守時に設定される「外出警戒モード」とを有している。そして、モニタ側マイコン３３は、在宅モードにおいてモード切換スイッチ３７が操作されると「在宅警戒モード」に切り換わり、該在宅警戒モードにおいてさらにモード切換スイッチ３７が操作されると「外出警戒モード」に切り換わるようになっている。
【００３５】
また、在宅警戒モード及び外出警戒モードにおいてモニタ側マイコン３３は、暗証入力スイッチ３８による暗証入力操作が行われた際に、在宅モードに切り換わるようになっている。暗証入力スイッチ３８は複数の押しボタンスイッチによって構成され、本実施形態においては、「Ａ」の記号が付された第１暗証入力スイッチ３８ａ、「Ｂ」の記号が付された第２暗証入力スイッチ３８ｂ、及び「Ｃ」の記号が付された第３暗証入力スイッチ３８ｃによって構成されている。そして、モニタ側マイコン３３は、後述する「暗証入力設定モード」においてメモリ３３ａに記録された暗証コード（ここでは４桁の暗証コード）が各暗証入力スイッチ３８ａ〜３８ｃによって入力された際に、在宅モードに切り換わるようになっている。
【００３６】
そこで、こうしたモニタ側マイコン３３の各種モードへの切換態様と各種モードにおける動作態様とを、図３〜図５を用いて説明する。
＜在宅モード＞
図３に示すように、通常、モニタ側マイコン３３は在宅モードとなっている（項目［１］）。この在宅モードにおいてモニタ側マイコン３３は、メモリ３３ａに登録されたセンサ装置２によって検出される監視対象の状態を監視し、その結果をＬＥＤ３４ａ〜３４ｋ及びブザー３５によって報知する監視制御を行う。具体的には、１階の窓Ａが施錠状態にある場合には、ＬＥＤ３４ａが緑色に点灯される。同様に、窓Ｂが施錠状態にある場合には、ＬＥＤ３４ｂが緑色に点灯され、他のＬＥＤ３４ｃ〜３４ｋも同様に、対応する監視対象が施錠状態にある場合には緑色に点灯される。すなわち、モニタ側マイコン３３は、在宅モードにおいて監視対象が施錠状態にあると判断した場合には、対応するＬＥＤ３４ａ〜３４ｋに対して、緑色点灯させる旨の発光指令信号を出力する。
【００３７】
これに対し、１階の窓Ａが解錠状態にある場合にはＬＥＤ３４ａが赤色に点灯され、窓Ｂが解錠状態にある場合にはＬＥＤ３４ｂが赤色に点灯される。他のＬＥＤ３４ｃ〜３４ｋも同様に、対応する監視対象が解錠状態にある場合には赤色に点灯される。すなわち、モニタ側マイコン３３は、在宅モードにおいて監視対象が施錠状態にあると判断した場合には、対応するＬＥＤ３４ａ〜３４ｋに対して、赤色点灯させる旨の発光指令信号を出力する。加えて、モニタ側マイコン３３は、各種監視対象の少なくとも１つが施錠状態から解錠状態に切り換わったと判断した際には、ブザー３５に鳴動指令信号を短時間（例えば１秒間）だけ出力し、ブザー３５を短時間だけ鳴動させる。
【００３８】
また、モニタ側マイコン３３は、全日警戒機能が設定されたセンサ装置２が存在する場合、該センサ装置２と対応する監視対象が施錠状態から解錠状態に切り換わったと判断すると、それを異常検知と判断して在宅警報モードに移行する（項目［２］、［３］）。この在宅警報モードにおいてモニタ側マイコン３３は、対応するＬＥＤ３４ａ〜３４ｋに対して赤色点滅させる旨の発光指令信号を出力し、該ＬＥＤ３４ａ〜３４ｋを赤色点滅させるとともに、ブザー３５に鳴動指令信号を長時間（例えば３０秒間）に亘って出力してブザー３５を長時間に亘って鳴動させる。加えて、モニタ側マイコン３３は、前記在宅モードにおけるブザー３５の鳴動時よりも大音量でブザー３５を鳴動させる。モニタ側マイコン３３は、こうした在宅警報モードにおいて所定時間（例えば３０秒）が経過した場合または該時間内にモード切換スイッチ３７が操作された場合に、在宅モードに移行する（項目［４］）。すなわち、この在宅警報モードにあっては、モニタ側マイコン３３は、ブザー３５を鳴動させている間にモード切換スイッチ３７が操作されると、該ブザー３５の鳴動を停止させて在宅モードに切り換わるようになっている。
【００３９】
＜在宅モードから警戒モードへの切り換え＞
また、モニタ側マイコン３３は、在宅モードにおいてモード切換スイッチ３７が操作されると、在宅警戒準備モードに移行する（項目［５］、［６］）。そして、在宅警戒準備モードにおいて何も操作しない状態が所定時間（例えば１０秒）経過すると、モニタ側マイコン３３は在宅警戒モードに移行する（項目［７］、［１２］）。これに対し、在宅警戒準備モードにおいて該所定時間内にモード切換スイッチ３７がさらに操作されると、モニタ側マイコン３３は外出警戒準備モードに移行する（項目［８］、［９］）。そして、この外出警戒準備モードにおいて何も操作しない状態が所定時間（例えば１０秒）経過すると、モニタ側マイコン３３は外出警戒モードに移行する（項目［１０］、［１８］）。これに対し、外出警戒準備モードにおいて該所定時間内にモード切換スイッチ３７がさらに操作されると、モニタ側マイコン３３は再び在宅モードに移行する（項目［１１］）。
【００４０】
＜在宅警戒モード＞
在宅警戒モード（項目［１２］）においてモニタ側マイコン３３は、監視対象が施錠状態にある場合には、対応するＬＥＤ３４ａ〜３４ｋに対して緑色点灯させる旨の発光指令信号を出力し、該ＬＥＤ３４ａ〜３４ｋを緑色点灯させる。これに対し、モニタ側マイコン３３は、監視対象のうちの１つでも施錠状態から解錠状態に切り換わったと判断すると、異常検知と判断して在宅警戒警報モードに移行する（項目［１３］、［１４］）。この在宅警戒警報モードにおいてモニタ側マイコン３３は、対応するＬＥＤ３４ａ〜３４ｋに対して赤色点滅させる旨の発光指令信号を出力し、該ＬＥＤ３４ａ〜３４ｋを赤色点滅させる。それとともに、モニタ側マイコン３３は、全日警報モード時と同様に、ブザー３５に鳴動指令信号を長時間（例えば３０秒間）に亘って出力してブザー３５を長時間に亘って鳴動させる。モニタ側マイコン３３は、こうした在宅警戒警報モードにおいて所定時間（例えば３０秒）が経過した場合または該時間内にモード切換スイッチ３７が操作された場合に、在宅警戒モードに移行する（項目［１５］）。すなわち、この在宅警報モードにあっては、モニタ側マイコン３３は、ブザー３５を鳴動させている間にモード切換スイッチ３７が操作されると、該ブザー３５の鳴動を停止させて在宅警戒モードに切り換わるようになっている。
【００４１】
また、在宅警戒モードにおいてモニタ側マイコン３３は、設定された暗証コードが暗証入力スイッチ３８により入力されると在宅モードに切り換わり（項目［１６］）、モード切換スイッチ３７が操作されると外出警戒モードに切り換わる（項目［１７］、［１８］）。
【００４２】
＜外出警戒モード＞
外出警戒モード（項目［１８］）においてモニタ側マイコン３３は、監視対象が施錠状態にある場合には、対応するＬＥＤ３４ａ〜３４ｋに対して緑色点灯させる旨の発光指令信号を出力し、該ＬＥＤ３４ａ〜３４ｋを緑色点灯させる。これに対し、モニタ側マイコン３３は、監視対象のうちの１つでも施錠状態から解錠状態に切り換わったと判断すると、異常検知と判断して外出警戒警報モードに移行する（項目［１９］、［２０］）。この外出警戒警報モードにおいてモニタ側マイコン３３は、対応するＬＥＤ３４ａ〜３４ｋに対して赤色点滅させる旨の発光指令信号を出力し、該ＬＥＤ３４ａ〜３４ｋを赤色点滅させる。それとともに、モニタ側マイコン３３は、全日警報モード時や在宅警戒警報モード時と同様に、ブザー３５に鳴動指令信号を長時間（例えば３０秒間）に亘って出力してブザー３５を長時間に亘って鳴動させる。モニタ側マイコン３３は、こうした外出警戒警報モードにおいて所定時間（例えば３０秒）が経過した場合に、外出警戒モードに移行する（項目［２１］）。また、ブザー３５の鳴動中に暗証入力スイッチ３８により前記暗証コードが入力されると、モニタ側マイコン３３は、ブザー３５の鳴動を停止させて在宅モードに切り換わる（項目［２２］）。なお、この外出警戒警報モードでのブザー３５の鳴動中にあっては、前記在宅警戒警報モードとは異なり、モード切換スイッチ３７が操作されても外出警戒モードには切り換わらない。すなわち、一旦外出警戒警報モードにおいてブザー３５が鳴動されると、設定された暗証コードを入力しない限り、該所定時間が経過するまでブザー３５の鳴動を停止させることはできない。
【００４３】
また、外出警戒モードにおいてモニタ側マイコン３３は、暗証入力スイッチ３８により前記暗証コードが入力されると、在宅モードに切り換わる（項目［２３］）。
＜登録モード＞
ところで、在宅モードにおいて登録スイッチ３６が操作されると、モニタ側マイコン３３は、登録モードに切り換わる（項目［２４］、［２５］）。
【００４４】
この登録モードにおいてモニタ側マイコン３３は、センサ装置２を通常の監視対象として登録する通常登録処理と、該通常登録されたセンサ装置２の監視態様とは異なる態様で監視を行う特殊登録処理とを選択的に行うようになっている。そこで、センサ装置２の登録手順とそれに伴うモニタ側マイコン３３の動作態様とを、図４及び図５を参照しつつ説明する。
【００４５】
図４（ａ）に「登録手順＜１＞」として示すように、モニタ側マイコン３３は、在宅モードにおいて登録スイッチ３６が操作されると、登録モードに移行する（Ｓ１〜Ｓ３）。すなわち、モニタ側マイコン３３は、在宅モードで登録スイッチ３６が操作された場合にのみ登録モードに切り換わる。
【００４６】
登録モードに移行すると、モニタ側マイコン３３は、まず表示部３４のＬＥＤ３４ａを緑色で点灯または点滅させる。ここで、モニタ側マイコン３３は、既にセンサ装置２がＬＥＤ３４ａに対応付けして登録されている場合にはＬＥＤ３４ａを緑色点灯（連続点灯）させ、センサ装置２がＬＥＤ３４ａに対応付けして登録されていない場合にはＬＥＤ３４ａを緑色点滅させる。このため、ユーザは、ＬＥＤ３４ａの点灯態様により、センサ装置２が該ＬＥＤ３４ａに対応付けして登録されているか否かを容易且つ確実に判断することができる。
【００４７】
また、緑色点滅させるＬＥＤ、すなわち対応付けするＬＥＤは選択可能となっており、本実施形態においては、モード切換スイッチ３７が短時間（例えば１秒間）だけ操作されると、対応付けされるＬＥＤがシフトするようになっている。例えば、ＬＥＤ３４ａが緑色点灯（または点滅）している状態でモード切換スイッチ３７が短時間だけ操作されると、モニタ側マイコン３３は、次のＬＥＤ３４ｂを緑色点灯（または点滅）させるようになっている。そして、モニタ側マイコン３３は、ＬＥＤ３４ｂが緑色点灯（または点滅）している状態でモード切換スイッチ３７が短時間だけ操作されると、次のＬＥＤ３４ｂを緑色点灯（または点滅）させるようになっている。すなわち、モニタ側マイコン３３は、モード切換スイッチ３７の操作に伴い、ＬＥＤ３４ａ→ＬＥＤ３４ｂ→ＬＥＤ３４ｃ→・・・→ＬＥＤ３４ｊ→ＬＥＤ３４ｋ→・・・というように選択状態となるＬＥＤを順にシフトさせていくようになっている。このため、例えばＬＥＤ３４ａに対応付けて登録されたセンサ装置２が存在しない状態であっても、モード切換スイッチ３７を操作することにより、次のＬＥＤ３４ｂに対応付けしてセンサ装置２を登録することが可能となる。このようにしてユーザは、モード切換スイッチ３７を短時間操作することにより、対応付けするＬＥＤを選択する（Ｓ４）。
【００４８】
そして、登録対象となるセンサ装置２が特殊登録すべきものであれば、ＬＥＤの選択後、第１〜第３暗証入力スイッチ３８ａ〜３８ｃのうちの何れかを短時間（例えば１秒間）だけ操作する（Ｓ５）。該操作が行われると、モニタ側マイコン３３は、選択されたＬＥＤに対応付けして登録されるセンサ装置２の監視態様を、該操作に応じた特殊監視態様に設定する。すなわち、登録モードにおいて第１〜第３暗証入力スイッチ３８ａ〜３８ｃの何れかを短時間だけ操作することが、特殊監視態様を設定するための操作に設定されている。なお、図５に示すように、本実施形態においては、第１暗証入力スイッチ３８ａが操作されると、遅延時間１分の遅延警報態様が特殊監視態様として採用されるようになっている。また、第２暗証入力スイッチ３８ｂが操作されると、遅延時間３分の遅延警報態様が特殊監視態様として採用されるようになっている。また、第３暗証入力スイッチ３８ｃが操作されると、全日警戒態様が特殊監視態様として採用されるようになっている。
【００４９】
その後、登録すべきセンサ装置２の登録操作を行う（Ｓ６）。なお、前述したように本実施形態におけるセンサ装置２の登録操作は、該センサ装置２と対応する監視対象の施解錠操作を所定回数繰り返し行う操作に設定されている。
【００５０】
そして、モニタ側マイコン３３は、センサ装置２からの登録用信号が入力されると、該登録用信号に含まれるＩＤコードと、特殊監視態様の種類を示す特殊監視コードとを、選択されたＬＥＤに対応付けしてメモリ３３ａに記録し、登録を完了する（Ｓ７）。また、モニタ側マイコン３３は、登録が完了すると、ブザー３５を短時間（例えば１秒間）だけ鳴動させるとともに、対応付けされたＬＥＤの点灯状態を緑色点滅状態から緑色点灯状態に変化させて、センサ装置２の登録完了を報知する。その後、モニタ側マイコン３３は登録可能な別のＬＥＤを緑色点滅させ、該ＬＥＤに別のセンサ装置２を対応付けして登録可能な状態である旨を報知する。
【００５１】
こうした特殊登録の具体例を挙げると、例えば玄関ドアＧの施解錠状態を監視するセンサ装置２（センサ装置２Ｇ）を、遅延時間１分の遅延警報態様となるようにＬＥＤ３４ｇに対応付けして特殊登録する場合には、次の登録手順となる。すなわちこの場合には、在宅モードから登録モードに切り換え、モード切換スイッチ３７の短時間操作によりＬＥＤ３４ｇを選択した後に第１暗証入力スイッチ３８ａを操作し、センサ装置２Ｇの登録操作、すなわち玄関ドアＧの施解錠を複数回繰り返す操作を行う。
【００５２】
こうした手順で玄関ドアＧと対応するセンサ装置２Ｇの特殊登録が完了すると、前記在宅モードや警戒モードにおいては、玄関ドアＧの施解錠状態がＬＥＤ３４ｇによって表示されることとなる。また、警戒モードにおいて玄関ドアＧの解錠状態への変化がセンサ装置２Ｇによって検出されると、モニタ側マイコン３３は、該検出から１分間はブザー３５を鳴動させず、１分が経過した時点でブザー３５を長時間に亘って鳴動させる制御を行うこととなる。
【００５３】
同様に、センサ装置２の登録時に第２暗証入力スイッチ３８ｂが操作された場合には、該センサ装置２と対応する監視対象は遅延時間３分の遅延警報態様で監視されることとなる。この場合、警戒モードにおいて監視対象の解錠への変化が該センサ２装置によって検出されると、モニタ側マイコン３３は、該検出から３分間はブザー３５を鳴動させず、３分が経過した時点でブザー３５を長時間に亘って鳴動させる制御を行うこととなる。また、センサ装置２の登録時に第３暗証入力スイッチ３８ｃが操作された場合には、該センサ装置２と対応する監視対象は全日警戒態様で監視されることとなる。この場合、警戒モードはもちろん在宅モードにおいても、監視対象の解錠への変化が該センサ装置２によって検出されると、モニタ側マイコン３３は即座にブザー３５を長時間に亘って鳴動させる制御を行うこととなる。
【００５４】
これに対し、登録対象となるセンサ装置２が通常監視登録すべきものであれば、上記Ｓ５で示した操作を行わず、上記Ｓ４におけるＬＥＤの選択後に上記Ｓ６で示したセンサ装置２の登録操作を行う。この場合、モニタ側マイコン３３は、センサ装置２からの登録用信号が入力されると、該登録用信号に含まれるＩＤコードを、選択されたＬＥＤに対応付けしてメモリ３３ａに記録する。
【００５５】
こうした通常登録の具体例を挙げると、例えば住宅１階の窓Ａの施解錠状態を監視するセンサ装置２（センサ装置２Ａ）を、ＬＥＤ３４ａに対応付けして通常登録する場合には、次の登録手順となる。すなわちこの場合には、在宅モードから登録モードに切り換え、モード切換スイッチ３７の短時間操作によりＬＥＤ３４ｅを選択した後、センサ装置２Ａの登録操作、すなわち窓Ａの施解錠を複数回繰り返す操作を行う。
【００５６】
こうした手順で窓Ａと対応するセンサ装置２Ａの通常登録が完了すると、前記在宅モードや警戒モードにおいては、窓Ａの施解錠状態がＬＥＤ３４ａによって表示されることとなる。また、警戒モードにおいて窓Ａの解錠状態への変化がセンサ装置２Ａによって検出されると、モニタ装置３は、即座にブザー３５を長時間に亘って鳴動させる制御を行うこととなる。
【００５７】
なお、本実施形態においては、対応付けして登録されていないＬＥＤに対してのみ、センサ装置２の新規登録が可能となっている。すなわち、Ｓ４において選択されたＬＥＤにセンサ装置２が既に対応付けして登録されている場合には、別の新たなセンサ装置２を該ＬＥＤに対応付けして登録することはできないようになっている。
【００５８】
但し、モニタ側マイコン３３は、まだ登録されていないセンサ装置２をモニタ装置３に登録する操作時（初期登録操作時）に限らず、既に登録されているセンサ装置２に対する特殊監視態様の設定に関しては可能となっている。詳しくは、モニタ側マイコン３３は、既に登録されているＬＥＤが選択され（Ｓ４）、その状態で第１〜第３暗証入力スイッチ３８ａ〜３８ｃのうちの何れかが操作されると（Ｓ５）、対応するセンサ装置２の監視態様を、該操作に応じた特殊監視態様に設定する。このため、既に登録されたセンサ装置２に対しても、通常監視態様から特殊監視態様への変更を容易に行うことが可能となる。
【００５９】
モニタ側マイコン３３は、こうした登録モードにおいて登録スイッチ３６が操作されたり、または登録モードにおいて何ら操作がされない状態が所定時間（ここでは１５分間）経過したりすると、在宅モードに切り換わる（項目［２６］）。
【００６０】
また、登録モードにおいてモード切換スイッチ３７が長時間（例えば２秒以上）に亘って操作されると、モニタ側マイコン３３は暗証入力設定モードに切り換わる（項目［２７］、［２８］）。
【００６１】
＜暗証入力設定モード＞
暗証入力設定モードにおいてモニタ側マイコン３３は、暗証コードを設定可能である旨を図示しない表示部や音声によって通知する。ここでメモリ３３ａにまだ暗証コードが記録されていない場合、モニタ側マイコン３３は、第１〜第３暗証入力スイッチ３８ａ〜３８ｃにより４桁の暗証コードが入力されると、その暗証コードをメモリ３３ａに記録する。この４桁の暗証コードは家人によって任意に設定可能であり、例えば「ＡＢＣＡ」を暗証コードとして設定する場合、家人は、第１暗証入力スイッチ３８ａ→第２暗証入力スイッチ３８ｂ→第３暗証入力スイッチ３８ｃ→第１暗証入力スイッチ３８ａの順に操作することで、該暗証コードを設定可能となる。また、メモリ３３ａに既に暗証コードが記録されている場合、モニタ側マイコン３３は、その暗証コードの入力を促す旨を図示しない表示部や音声によって通知する。その後、既に記録されている暗証コードが第１〜第３暗証入力スイッチ３８ａ〜３８ｃによって入力されると、モニタ側マイコン３３は、新たな暗証コードの設定が可能である旨を通知する。そして、新たな暗証コードが入力されると、モニタ側マイコン３３は、メモリ３３ａに既に記録されている暗証コードを消去するとともに、新たな暗証コードをメモリ３３ａに記録する。
【００６２】
モニタ側マイコン３３は、こうした暗証入力設定モードにおいて、登録スイッチ３６が操作された場合、または何も操作されない時間が所定時間（ここでは５分間）が経過した際に、在宅モードに切り換わる（項目［２９］）。
【００６３】
また、モニタ側マイコン３３は、暗証入力設定モードにおいて第１〜第３暗証入力スイッチ３８ａ〜３８ｃの何れかが長時間（例えば２秒以上）に亘って長押しされると、巡回暗証入力設定モードに切り換わる（項目［３０］、［３１］）。
【００６４】
＜巡回暗証入力設定モード＞
巡回暗証入力設定モードとは、例えば住宅を警備する警備会社等、家人以外に使用許可された人物用の暗証コードを設定可能なモードである。この巡回暗証入力設定モードにおいてモニタ側マイコン３３は、巡回暗証コードを設定可能である旨を図示しない表示部や音声によって通知する。ここでメモリ３３ａにまだ巡回暗証コードが記録されていない場合、モニタ側マイコン３３は、第１〜第３暗証入力スイッチ３８ａ〜３８ｃにより４桁の巡回暗証コードが入力されると、その巡回暗証コードをメモリ３３ａに記録する。また、メモリ３３ａに既に巡回暗証コードが記録されている場合、モニタ側マイコン３３は、その巡回暗証コードの入力を促す旨を図示しない表示部や音声によって通知する。その後、既に記録されている巡回暗証コードが第１〜第３暗証入力スイッチ３８ａ〜３８ｃによって入力されると、モニタ側マイコン３３は、新たな巡回暗証コードの設定が可能である旨を通知する。そして、新たな巡回暗証コードが入力されると、モニタ側マイコン３３は、メモリ３３ａに既に記録されている巡回暗証コードを消去するとともに、新たな巡回暗証コードをメモリ３３ａに記録する。
【００６５】
モニタ側マイコン３３は、こうした巡回暗証入力設定モードにおいて、登録スイッチ３６が操作された場合、または何も操作されない時間が所定時間（ここでは５分間）が経過した際に、在宅モードに切り換わる（項目［３２］）。
【００６６】
なお、モニタ側マイコン３３は、こうした巡回暗証入力設定モードを必ずしも備えている必要はない。
＜登録状態の確認表示＞
ところで、モニタ側マイコン３３は、在宅モードにおいて第１〜第３暗証入力スイッチ３８ａ〜３８ｃの何れかが短時間（例えば１秒間）だけ操作された際に、登録されている全てのセンサ装置２の登録状態を、表示部３４において対応するＬＥＤに個別に表示するようになっている。詳しくは、本実施形態においてモニタ側マイコン３３は、通常登録されているセンサ装置２と対応するＬＥＤを緑色点滅させる。これに対し、モニタ側マイコン３３は、遅延警報態様で登録されているセンサ装置２と対応するＬＥＤを橙色点滅（遅延１分→１秒間隔、遅延３分→３秒間隔）させ、全日警戒態様で登録されているセンサ装置２と対応するＬＥＤを橙色点灯（連続点灯）させる。このため、ユーザは、登録されている全てのセンサ装置２が、どの態様で登録されているかを容易且つ確実に認識可能となる。なお、こうした確認表示は、所定時間（例えば４秒間）が経過した後に自動的に終了し、通常の点灯態様に復帰するようになっている。
【００６７】
＜センサ装置２のグループ設定＞
さて、以上のように構成され、動作するモニタ装置３においては、これから登録されるセンサ装置２や既に登録されたセンサ装置２をグループ化するグループ化処理が可能となっている。詳しくは、前記登録モードにおいてグループ化操作が行われると、モニタ側マイコン３３は、該グループ化操作に基づいてセンサ装置２のグループ化処理を行う。そこで、こうしたグループ化処理について説明する。
【００６８】
［ａ］センサ装置２の新規登録時におけるグループ化
モニタ側マイコン３３は、前記登録モードにおいて新規にセンサ装置２の登録が行われる際にグループ化操作が行われると、該グループ化操作に応じたグループに該センサ装置２を分類する。
【００６９】
詳しくは、図４（ａ）に示した前記Ｓ４において対象となるＬＥＤが選択された後、第１〜第３暗証入力スイッチ３８ａ〜３８ｃの何れかが長時間（例えば２秒以上）に亘って操作されると、モニタ側マイコン３３は、選択されているＬＥＤと、該操作された暗証入力スイッチ３８ａ〜３８ｃとを対応付ける。そして、その後に前記Ｓ６で示したセンサ装置２の登録操作が行われると、モニタ側マイコン３３は、対応付けされた暗証入力スイッチ３８ａ〜３８ｃのグループとして該センサ装置２を登録する。
【００７０】
すなわち、本実施形態においては、登録モードにおいて第１〜第３暗証入力スイッチ３８ａ〜３８ｃを長押し操作することが、センサ装置２のグループ化操作に相当する。
そして、モニタ側マイコン３３は、該グループ化操作時に選択された第１〜第３暗証入力スイッチ３８ａ〜３８ｃに応じてグループ化を行う。具体的には、例えば第１暗証入力スイッチ３８ａが長押し操作された場合、モニタ側マイコン３３は、その後の登録操作によって登録されるセンサ装置２を「グループＧ１」に分類する。同様に、モニタ側マイコン３３は、第２暗証入力スイッチ３８ｂが長押し操作された場合にはセンサ装置２を「グループＧ２」に分類し、第３暗証入力スイッチ３８ｃが長押し操作された場合にはセンサ装置２を「グループＧ３」に分類する。
【００７１】
このため、センサ装置２の新規登録時においてユーザは、登録するセンサ装置２を、グループＧ１〜Ｇ３の何れかに自由にグループ分けすることができる。
なお、図２においては、破線で示すようにＬＥＤ３４ａ〜３４ｇに対応付けして登録されるセンサ装置２Ａ〜２ＧがグループＧ１としてグループ化した例を示し、２点鎖線で示すようにＬＥＤ３４ｈ〜３４Ｋに対応付けして登録されるセンサ装置２Ｈ〜２ＫがグループＧ２としてグループ化した例を示す。すなわちここでは、住宅１階の窓Ａ〜Ｅや勝手口Ｆ及びドアＧの施解錠状態を検出するセンサ装置２Ａ〜２ＧをグループＧ１としてグループ化し、住宅２階の窓Ｈ〜Ｋの施解錠状態を検出するセンサ装置２Ｈ〜２ＫをグループＧ２としてグループ化した例を示す。
【００７２】
［ｂ］登録済みのセンサ装置２のグループ化
また、センサ装置２のグループ化は、上記［ａ］で示したセンサ装置２の新規登録時に限らず、既に登録されているセンサ装置２に対しても設定可能となっている。
【００７３】
この場合、モニタ側マイコン３３は、既にセンサ装置２が対応付けして登録されているＬＥＤが登録モードにおいて選択された状態で前記グループ化操作が行われると、該登録されているセンサ装置２を、該操作を行った第１〜第３暗証入力スイッチ３８ａ〜３８ｃに対応するグループに分類する。例えば、ＬＥＤ３４ａにセンサ装置２Ａが対応付けして登録され、登録モードにおいて該ＬＥＤ３４ａが選択された状態で第１暗証入力スイッチ３８ａが長押し操作された場合、センサ装置２Ａは「グループＧ１」に分類されることとなる。
【００７４】
このため、ユーザは、既に登録されているセンサ装置２のグループ化も自由に行うことができる。よって、グループ化を行うにあたっての利便性がより向上する。
＜特殊監視態様のグループ別登録＞
さらに、モニタ側マイコン３３は、前記登録モードにおける前記Ｓ４の処理において、前記グループ化処理によって設定されたグループに属するセンサ装置２と対応するＬＥＤが選択され、その状態で前記特殊登録操作（Ｓ５）が行われると、該選択されたグループに属するセンサ装置２の全てを前記特殊監視態様で登録するグループ登録処理を行う。すなわち、モニタ側マイコン３３は、前記特殊登録をグループ単位で行うことが可能となっている。
【００７５】
詳しくは、モニタ側マイコン３３は、登録モードにおいて第１〜第３暗証入力スイッチ３８ａ〜３８ｃの何れかが長時間（例えば２秒以上）に亘って操作されると、表示部３４を構成するＬＥＤのうち、該操作された暗証入力スイッチ３８ａ〜３８ｃと対応するグループＧ１〜Ｇ３に属するＬＥＤのみを点灯させる。すなわち、モニタ側マイコン３３は、該選択されたグループＧ１〜Ｇ３に属するセンサ装置２の全てを選択し、その旨を表示部３４に表示させる。
【００７６】
そして、こうした選択状態において第１〜第３暗証入力スイッチ３８ａ〜３８ｃの何れかが短時間（例えば１秒）だけ操作されると、モニタ側マイコン３３は、選択されたグループに属する全てのセンサ装置２の監視態様を、該操作に応じた特殊監視態様に設定する。すなわち、第１暗証入力スイッチ３８ａが操作された場合には遅延時間１分の遅延警報態様が特殊監視態様として採用され、第２暗証入力スイッチ３８ｂが操作された場合には遅延時間３分の遅延警報態様が特殊監視態様として採用される。同様に、第３暗証入力スイッチ３８ｃが操作された場合には、全日警戒態様が特殊監視態様として採用される。
【００７７】
このため、１回の特殊登録操作によって複数のセンサ装置２の特殊登録が可能となり、操作性が向上する。また、特殊登録の設定間違いも抑止される。
＜グループモード切換処理＞
ところで、登録されたセンサ装置２がグループ化されている場合、モニタ側マイコン３３は、ユーザの操作に応じて、各グループ別に登録モード、監視モード及び警戒モードに選択的に切り換えるグループモード切換処理の実行が可能となっている。
【００７８】
詳しくは、モニタ側マイコン３３は、在宅モードにおいて第１〜第３暗証入力スイッチ３８ａ〜３８ｃの何れかが長時間（例えば２秒以上）に亘って操作されると、表示部３４を構成するＬＥＤのうち、該操作された暗証入力スイッチ３８ａ〜３８ｃと対応するグループＧ１〜Ｇ３に属するＬＥＤのみを点灯させる。すなわち、モニタ側マイコン３３は、該選択されたグループＧ１〜Ｇ３に属するセンサ装置２の全てを選択し、その旨を表示部３４に表示させる。なお、本実施形態では、こうしたグループ選択操作が行われた後に所定時間（例えば１５秒間）に亘って何ら操作が行われない状態が経過すると、該選択状態が解除され、表示部３４は元の表示状態に復帰するようになっている。
【００７９】
一方、グループ選択状態においてモード切換スイッチ３７が操作されると、モニタ側マイコン３３は、選択状態にあるセンサ装置２のみを対象として警戒モードに切り換わる。すなわちこの場合、モニタ側マイコン３３は、選択状態にないセンサ装置２に対しては在宅モードとして機能する。
【００８０】
具体的には、例えばグループＧ１が選択された状態でモード切換スイッチ３７が操作されると、モニタ側マイコン３３は、該グループＧ１に属するセンサ装置２のみを対象として在宅警戒モードまたは外出警戒モードに切り換わる。よってこの場合、モニタ側マイコン３３は、グループＧ１に属するセンサ装置２によって監視される監視対象の解錠が検出され場合にのみ、前記警戒モードにおける警報動作（ブザー３５の長時間に亘る鳴動）を行う。これに対し、モニタ側マイコン３３は、グループＧ１に属さないセンサ装置２（グループＧ２，Ｇ３に属するセンサ装置２）によって監視される監視対象の解錠が検出された場合には、前記在宅モードにおける報知動作（ブザー３５の短時間鳴動による報知）のみを行い、警報動作を行わない。
【００８１】
同様に、グループＧ１〜Ｇ３の選択状態において登録スイッチ３６が操作された際には、モニタ側マイコン３３は、選択状態あるセンサ装置２のみを対象として登録モードに切り換わる。すなわち、上記＜特殊監視態様のグループ別登録＞のように、登録モードに切り換わった後にグループ選択を行うことだけでなく、予めグループ選択を行った上で選択されたグループのみを登録モードに切り換えることも可能となっている。よって、こうしたグループ選択状態での登録モードへの切り換えにより、上記特殊監視態様の容易且つ確実なグループ別登録が可能となる。
【００８２】
したがって、本実施形態によれば以下のような効果を得ることができる。
（１）モニタ装置３に登録される各センサ装置２は、モニタ側マイコン３３のグループ化処理により、複数のグループＧ１〜Ｇ３にグループ化することが可能となっている。そして、モニタ側マイコン３３は、それらグループＧ１〜Ｇ３毎に、登録モード、監視モード及び警戒モードに選択的に切り換え可能となっている。このため、ユーザの必要に応じて各グループ毎に個別のモード設定を行うことができ、利便性が向上する。例えば図２にグループＧ１，Ｇ２として示したように、１階に設けられた各窓Ａ〜Ｅ、勝手口Ｆ及び玄関ドアＧの施解錠状態を検出する各センサ装置２を同一のグループＧ１として設定し、２階の各窓Ｈ〜Ｋの施解錠状態を検出する各センサ装置２を他のグループＧ２として設定すれば、それらグループＧ１，Ｇ２を互いに異なるモードに設定できる。具体的には、１階の各センサ装置２のみを警戒モードに設定し、２階の各センサ装置２を在宅モードに設定することができる。このようにすれば、１階のセンサ装置２を警戒モードに設定した状態で２階の窓Ｈ〜Ｋを解錠しても、警報は発せられない。それゆえ、１階の窓Ａ〜Ｅ、勝手口Ｆ及び玄関ドアＧの防犯性を保ちつつ、２階の窓Ｈ〜Ｋを自由に施解錠操作及び開閉操作することができるため、高い利便性を得ることができる。
【００８３】
（２）  センサ装置２の新規登録時においてユーザは、登録するセンサ装置２を、グループＧ１〜Ｇ３の何れかに自由にグループ分けすることができる。このため、センサ装置２の新規登録を行うための一連の操作の中で、グループ化をも併せて行うことができる。しかも、新規登録時におけるセンサ装置２のグループ化に加え、既に登録されているセンサ装置２に対するグループ化をも可能となっている。このため、既に登録されたセンサ装置２のグループ化をも自由に行うことができる。よって、グループ化を行うにあたっての利便性をより向上させることができる。
【００８４】
（３）グループ化を行うための操作部、及び特殊監視態様でセンサ装置２を登録するための操作部として、本来は他の機能に用いられる暗証入力スイッチ３８が用いられている。すなわち、特殊登録態様でセンサ装置２を登録するための操作部として、モニタ装置３に従前から存在する既存の操作部が用いられている。このため、グループ化や特殊登録を行うための操作部を新たに設ける必要がなく、モニタ装置３の部品点数の増加を抑制することができる。
【００８５】
（４）グループ化及び特殊登録を行うための操作部として、暗証入力スイッチ３８が用いられている。一般に、暗証入力スイッチ３８は、複数種の暗証コードを入力可能となっている必要があることから、複数個のスイッチ（本実施形態では３つのスイッチ３８ａ〜３８ｃ）を備えている。このため、こうした暗証入力スイッチ３８を用いることにより、グループ数や特殊監視態様の種類を、多く確保することができる。
【００８６】
（５）モニタ側マイコン３３の登録モードにおいて第１〜第３暗証入力スイッチ３８ａ〜３８ｃが何ら操作されない場合には、警戒モードにおいて監視対象の状態が変化した際に即座に警報を発する通常監視態様でセンサ装置２をモニタ装置３に登録可能となる。これに対し、該登録モードにおいて第１〜第３暗証入力スイッチ３８ａ〜３８ｃを所定時間以上長押しすると、遅延警報態様や全日警戒態様といった特殊監視態様でセンサ装置２をモニタ装置３に登録可能となる。このため、モニタ側マイコン３３は、通常登録を行ったセンサ装置２と特殊登録を行ったセンサ装置２とを認識可能となる。よって、警戒モードにおいてモニタ側マイコン３３は、通常登録されたセンサ装置２から監視対象の状態が変化した旨の入力信号が入力された際には、即座にその旨の警報を発することができる。これに対し、例えば、センサ装置２の登録時に遅延警報態様を設定した場合、警戒モードにおいてモニタ側マイコン３３は、特殊登録されたセンサ装置２から監視対象の状態が変化した旨の入力信号が入力された際に、所定時間が経過した後にその旨の警報を発することができる。また、例えばセンサ装置２の登録時に全日警戒態様を設定した場合、モニタ側マイコン３３は、警戒モードはもちろん在宅モードにおいても、監視対象の状態が変化した旨の入力信号が入力されるとその旨の警報を即座に発することができる。すなわち、モニタ側マイコン３３は、一種類のセンサ装置２から入力される入力信号に基づき、異なる態様で監視対象を監視することができる。それゆえ、こうした態様例を採用した場合においては、通常登録されたセンサ装置２を窓用センサ装置として用い、特殊登録されたセンサ装置２をドア用センサ装置や全日警戒用センサ装置として用いることができ、各センサ装置を共通化することができる。よって、一種類のセンサ装置２をセキュリティレベルの低下を招くことなく多岐の用途に適用することができ、該センサ装置２の汎用性を高めることができる。それゆえ、状態監視システム１として、セキュリティレベルの低下を抑止しつつ、利便性をより一層向上させることができる。
【００８７】
しかも、こうした特殊登録は選択されたグループに属するセンサ装置２の全てが対象となるため、一つひとつのセンサ装置２を個別に特殊登録する必要がなく、該特殊登録のための作業を容易且つ確実に行うことができる。
【００８８】
（６）表示部３４には、通常監視態様で登録されたセンサ装置２と、特殊監視態様で登録されたセンサ装置２とが、異なる態様で個別に表示される。このため、ユーザは、表示部３４を視認することにより、どのセンサ装置２が通常監視態様で登録され、どのセンサ装置２が特殊監視態様で登録されているかを容易且つ確実に認識することができる。しかも、表示部３４には、登録状態がセンサ装置２毎に個別に表示されるため、ユーザはより確実に各センサ装置２の登録状態を認識することができる。
【００８９】
（７）グループ化されたセンサ装置２が選択された状態で特殊登録操作が行われると、モニタ側マイコン３３は、該センサ装置２だけでなく、そのグループに属するセンサ装置２の全てを特殊監視態様で登録する。このため、１回の特殊登録操作によって複数のセンサ装置２の特殊登録が可能となり、より高い操作性を得ることができる。また、特殊登録操作の回数が減ることに起因して、特殊登録の設定間違いも抑制することができる。
【００９０】
（８）モニタ側マイコン３３による特殊登録処理時にあっては、複数種の特殊監視態様のうちの一つが、第１〜第３暗証入力スイッチ３８ａ〜３８ｃの操作態様に応じて選択される。詳しくは、本実施形態においては、第１暗証入力スイッチ３８ａが操作されると１分の遅延警報態様が選択され、第２暗証入力スイッチ３８ｂが操作されると３分の遅延警報態様が選択され、第３暗証入力スイッチ３８ｃが操作されると全日警戒態様が選択される。このため、例えば玄関ドアＥの施解錠状態を監視するセンサ装置２Ｅを遅延警報態様で監視する特殊監視対象として登録し、全日警戒が必要な施錠装置の施解錠状態を監視するセンサ装置２を全日警戒態様で監視する特殊監視対象として登録すれば、建物全ての施錠装置の状態監視を、一種類のセンサ装置２を用いて行うことができる。
【００９１】
なお、本発明の実施形態は以下のように変更してもよい。
・  前記実施形態においてモニタ側マイコン３３は、同一の登録モードで通常登録と特殊登録とを可能となっている。しかし、モニタ側マイコン３３は、通常登録のみが可能な登録モードと、特殊登録のみが可能な登録モードとを有していてもよい。例えば、図４（ｂ）に「登録手順＜２＞」として示すように、モニタ側マイコン３３は、前記Ｓ１〜Ｓ３の手順によって「登録モード」に移行した後、同図にＳ１１及びＳ１２で示すように、登録スイッチ３６が所定時間（例えば２秒間）以上長押しされた際に「特殊登録モード」に移行するようになっていてもよい。このようにすれば、通常登録すべきところを特殊登録してしまうなどの誤登録を確実に抑止することができる。なお、特殊登録モードへは、登録スイッチ３６の長押しに限らず、例えば第１〜第３暗証入力スイッチ３８ａ〜３８ｃなど、他のスイッチの長押しによって切り換わるようになっていてもよい。
【００９２】
・  前記実施形態では、センサ装置２をモニタ装置３に新規に登録する際にグループ化を行うことが可能であるとともに、既に登録されているセンサ装置２のグループ化を行うことも可能となっている。しかし、これらグループ化とのうちのどちらか一方のみを可能としてもよい。
【００９３】
・  特殊設定操作手段は、第１〜第３暗証入力スイッチ３８ａ〜３８ｃに限らず、例えばモード切換スイッチ３７など、他の既存の操作部が用いられてもよい。この場合、例えば登録モードにおけるモード切換スイッチ３７の操作回数に応じて特殊監視態様が決定されるようになっていれば、前記実施形態と同様に複数種の特殊監視態様のうちの一つを選択することができ、前記実施形態と同等の利便性を奏し得ることができる。
【００９４】
また、特殊設定操作手段は、他の機能に用いられる既存の操作部に限らず、例えばモニタ装置３の意匠面等に新たに設けられた専用の操作部によって構成されてもよい。
・  前記実施形態においては、第１〜第３暗証入力スイッチ３８ａ〜３８ｃの操作により、登録される各センサ装置２を３種類のグループに分類可能となっている。しかし、分類可能なグループは３種類に限らず、例えば２種類や４種類以上であってもよい。なお、第１〜第３暗証入力スイッチ３８ａ〜３８ｃを用いて４種類以上のグループ化を可能とする場合には、各暗証入力スイッチ３８ａ〜３８ｃの組み合わせ操作などが必要となる。ここで「組み合わせ操作」とは、例えば第１暗証入力スイッチ３８ａと第２暗証入力スイッチ３８ｂとを長時間（例えば２秒間）に亘って同時に操作することなどを示す。
【００９５】
・  前記実施形態では、特殊登録をグループ単位で行うことが可能となっている。しかし、こうしたグループ単位での特殊登録を不能とし、各種モードの切り換えのみをグループ単位で行えるように変更してもよい。また、特殊登録自体を不能としてもよい。
【００９６】
・  登録されるセンサ装置２が複数のグループに分けられた場合、それらグループ毎にモードの状態を表示可能としてもよい。例えば、第１〜第３暗証入力スイッチ３８ａ〜３８ｃにそれぞれＬＥＤ等の表示部を設ける。そして、モニタ側マイコン３３は、在宅モード、在宅警戒モード、外出警戒モード及び登録モードのそれぞれで異なる表示態様で該表示部を表示させる。具体的には、モニタ側マイコン３３は、在宅モードにおいては「緑色」、在宅警戒モードにおいては「橙色」、外出警戒モードにおいては「赤色」、登録モードにおいては「青色」で該表示部を表示させる。このようにすれば、どのグループがどのモードに設定されているのかを、ユーザは容易且つ確実に認識することができ、より一層高い利便性を得ることができる。
【００９７】
・  図５に示したように、前記実施形態では、登録モードにおいて第１暗証入力スイッチ３８ａが操作されると遅延時間１分の遅延警報態様、第２暗証入力スイッチ３８ｂが操作されると遅延時間３分の遅延警報態様、第３暗証入力スイッチ３８ｃが操作されると全日警戒態様が設定されるようになっている。すなわち、前記実施形態では、２種類の遅延警報態様と全日警戒態様とを設定可能となっている。しかし、例えば１種類の遅延警報態様と全日警戒態様とを設定可能としたり、全日警戒態様の設定を省略したりしてもよい。具体的には、例えば第２暗証入力スイッチ３８ｂが操作された場合でも遅延時間１分の遅延警報態様が設定されるようにして、１種類の遅延警報態様と全日警戒態様とを設定可能としてもよい。また、例えば第３暗証入力スイッチ３８ｃが操作された場合には遅延時間３０秒の遅延警報態様が設定されるようにして３種類の遅延警報態様を設定可能とし、全日警戒態様を設定できないようにしてもよい。さらには、例えば２つまたは３つの暗証入力スイッチ３８ａ〜３８ｃが操作されることにより、別の特殊監視態様（例えば「遅延警報＋全日警戒」）が設定されるようにしてもよい。
【００９８】
・  センサ装置２に対する特殊監視態様の設定は、新規に登録されるセンサ装置２に対してのみ可能となっていてもよい。また、該設定は、既に登録されたセンサ装置２に対してのみ可能となっていてもよい。
【００９９】
・  前記実施形態において遅延警報態様における遅延時間は予め設定された時間となっている。しかし、こうした遅延時間は、ユーザによって自由に設定可能となっていてもよい。
【０１００】
・  前記実施形態においてモニタ側マイコン３３は、在宅警戒モード及び外出警戒モードの２種類の警戒モードを有している。しかし、モニタ側マイコン３３は、外出警戒モードのみを警戒モードとして有していたり、さらに別の警戒モードを有していたりしてもよい。
【０１０１】
・  「状態監視」とは、窓Ａ〜Ｅ，Ｈ〜Ｋ、勝手口Ｆ及び玄関ドアＧ等の施錠装置の施解錠状態を監視することに限定されない。例えばガス漏れの有無を監視するガス漏れ監視や、火災の有無を監視する火災監視であってもよい。すなわち、「状態監視」とは、建物の異常の有無を監視することの全てを示すものであってもよい。
【０１０２】
次に、特許請求の範囲に記載された技術的思想のほかに、前述した実施形態によって把握される技術的思想を以下に列挙する。
（１）  請求項４に記載の建物用状態監視装置において、前記特殊設定操作手段は、他の機能に用いられる既存の操作部であり、前記監視制御手段は、前記他の機能に用いられる際における操作態様とは異なる態様で前記操作部が操作されたことを条件として前記特殊登録処理を行うこと。この技術的思想（１）に記載の発明によれば、部品点数の増加を抑止することができる。
【０１０３】
（２）  請求項５に記載の建物用状態監視装置において、前記状態表示手段は、前記各センサ装置が前記登録モード、前記監視モード及び前記警戒モードのうちの何れのモードにあるかを表示すること。この技術的思想（２）に記載の発明によれば、ユーザは、表示手段を視認することにより、各センサ装置のモード状態を容易且つ確実に認識することができる。
【０１０４】
（３）  請求項６または技術的思想（２）に記載の建物用状態監視装置において、前記状態表示手段は、前記監視制御手段によってグループ分けされたグループ別に状態表示を行うこと。この技術的思想（３）に記載の発明によれば、ユーザは、表示手段を視認することにより、どのセンサ装置がどのグループに属しているかを容易且つ確実に認識可能となる。
【０１０５】
（４）  それぞれ対応する監視対象の状態を検出する複数のセンサ装置と、該各センサ装置を登録可能な登録モード、登録されたセンサ装置からの入力信号に基づいて対応する監視対象の状態を報知する監視モード、及び該監視対象の状態が変化した際に警報を発する警戒モードに択一的に切り換わる監視制御手段を有するモニタ装置とを備えた建物用状態監視システムであって、前記監視制御手段は、登録される各センサ装置をグループ化し、そのグループ毎に前記登録モード、前記監視モード及び前記警戒モードに選択的に切り換えるグループモード切換制御を行うこと。
【図面の簡単な説明】
【０１０６】
【図１】本発明の一実施形態の状態監視システムの概略構成を示すブロック図。
【図２】同実施形態のモニタ装置の外観図を概略的に示す正面図。
【図３】同実施形態の監視制御手段のモード遷移を模式的に示すブロック図。
【図４】（ａ）はモニタ装置に対するセンサ装置の本実施形態の登録手順を示すシーケンスチャート、（ｂ）はモニタ装置に対するセンサ装置の他の実施形態の登録手順を示すシーケンスチャート。
【図５】特殊監視態様と、該特殊監視態様を設定するための操作との関係を示す表。
【符号の説明】
【０１０７】
１…建物用状態監視システム、２，２Ａ〜２Ｅ…センサ装置、３…モニタ装置、３３…監視制御手段としてのモニタ側マイクロコンピュータ（モニタ側マイコン）、３３ａ…メモリ、３４…表示手段としての表示部、３４ａ〜３４ｅ…ＬＥＤ、３６…登録スイッチ、３７…モード切換スイッチ、３８（３８ａ〜３８ｃ）…既存の操作部としての暗証入力スイッチ（第１〜第３暗証入力スイッチ）、Ａ〜Ｅ，Ｈ〜Ｋ…監視対象としての窓、Ｆ…監視対象としての勝手口、Ｇ…監視対象としての玄関ドア。
【図１】
2006169891.tif 000003
【図２】
2006169891.tif 000004
【図３】
2006169891.tif 000005
【図４】
2006169891.tif 000006
【図５】
2006169891.tif 000007